(57)【要約】【課題】施工時や維持管理時の作業性を十分に向上させる。【解決手段】本発明は、開口部に連通する収納空間に配管部材を収納する本体部２と、本体部２に着脱されるカバー部４とを備える配管収納ユニット１の設置構造に関する。開口部が建築物８の外部側に位置するとともに、本体部２が建築物８の１階から最上階まで亘る状態で建築物８の構造躯体８２に埋設されている。【選択図】図４
2015137455.tif 000002
【特許請求の範囲】
【請求項１】
開口部を有するとともに前記開口部に連通する収納空間に配管部材を収納する本体部と、前記開口部を被覆可能に前記本体部に着脱されるカバー部と、を備える配管収納ユニットの設置に係る設置構造であって、
前記開口部が建築物の外部側に位置するとともに、
前記本体部が前記建築物の１階から最上階まで亘る状態で前記建築物の構造躯体に埋設されている配管収納ユニットの設置構造。
【請求項２】
前記カバー部が、前記本体部の高さ方向の全体に亘って着脱可能である請求項１に記載の配管収納ユニットの設置構造。
【請求項３】
少なくとも前記カバー部における前記建築物の外部側の壁面が、外装用化粧材で構成されている請求項１又は２に記載の配管収納ユニットの設置構造。
【請求項４】
前記外装用化粧材が、非金属無機材料で構成されている請求項３に記載の配管収納ユニットの設置構造。
【請求項５】
前記外装用化粧材の外表面に、砂壁模様、石壁模様、木目調模様、タイル調模様、煉瓦調模様、柚子肌模様、さざなみ模様、又はスタッコ状模様が施されている請求項３又は４に記載の配管収納ユニットの設置構造。
【請求項６】
前記本体部は、互いに接続されて前記収納空間の背面側及び側面側を区画する背板部と一対の側板部とを有し、
前記背板部は、前記建築物の基礎部分の上に配置され、
前記一対の側板部は、それぞれの下端側において、前記基礎部分の外形に沿うように形成されている請求項１から５のいずれか一項に記載の配管収納ユニットの設置構造。
【請求項７】
前記配管部材は、給水管、給湯管、排水管、給ガス管、及び空調設備用の冷媒管のうちの少なくとも２種を含み、
少なくとも２種の前記配管部材が、１つの前記収納空間に配置されている請求項１から６のいずれか一項に記載の配管収納ユニットの設置構造。
【発明の詳細な説明】
【技術分野】
【０００１】
本発明は、開口部に連通する収納空間に配管部材を収納する本体部と、開口部を被覆可能に本体部に着脱されるカバー部と、を備える配管収納ユニットの設置に係る設置構造に関する。
【背景技術】
【０００２】
上記のような配管収納ユニットの設置に関して、特開２０１０−４８３１３号公報（特許文献１）に記載された構造が知られている。特許文献１の配管収納ユニット〔設備収納ユニット１〕は、給排水設備ユニット等を収納する本体部〔単位ユニット２〕が建築物の上下階に亘って設けられ、各階毎に本体部の前面にカバー部〔メンテナンス用扉６〕を備えて構成されている。このような構成を備えることで、施工時の作業性向上及び品質確保を図ることができるとともに、施工後の維持管理が容易化され、さらには将来の間取り変更に対しても対応可能な可変性が付与されている。
【０００３】
しかし、特許文献１の配管収納ユニットでは、カバー部は建築物内において各階毎に設けられるため、施工時の作業性や施工後の作業性が向上するとは言っても限界がある。例えば上下階に亘って配設される配管部材の施工又は維持管理を行う場合には、上階での作業と下階での作業とを時間的及び空間的に別々に行う必要があるため、必ずしも作業性が十分に向上するとは限らない。
【先行技術文献】
【特許文献】
【０００４】
【特許文献１】特開２０１０−４８３１３号公報
【発明の概要】
【発明が解決しようとする課題】
【０００５】
そこで、施工時や維持管理時の作業性を十分に向上させることが可能な配管収納ユニットの設置構造の実現が望まれる。
【課題を解決するための手段】
【０００６】
本発明に係る配管収納ユニットの設置構造は、
開口部を有するとともに前記開口部に連通する収納空間に配管部材を収納する本体部と、前記開口部を被覆可能に前記本体部に着脱されるカバー部と、を備える配管収納ユニットの設置に係る設置構造であって、
前記開口部が建築物の外部側に位置するとともに、
前記本体部が前記建築物の１階から最上階まで亘る状態で前記建築物の構造躯体に埋設されている。
【０００７】
この構成によれば、配管収納ユニットの本体部が、建築物の１階から最上階まで亘り且つ開口部が建築物の外部側に位置するように設置されるので、本体部からカバー部を離脱させた状態で、収納空間をひとかたまりの空間として露出させることができる。よって、収納空間に配置される配管部材に対する各種の作業を、特段の制約なく全階についてまとめて行うことができる。従って、施工時や維持管理時の作業性を十分に向上させることができる。
このとき、本体部は建築物の１階から最上階まで亘る状態でその構造躯体に埋設されるので、当該本体部に、構造躯体の一部としての役割を担わせることができる。よって、建築物全体としての強度の低下を抑制することができる。
つまり、建築物全体としての強度の低下を抑制しながら、配管部材の施工や維持管理に係る作業性を十分に向上させることができる。
【０００８】
以下、本発明の好適な態様について説明する。但し、以下に記載する好適な態様例によって、本発明の範囲が限定される訳ではない。
【０００９】
１つの態様として、前記カバー部が、前記本体部の高さ方向の全体に亘って着脱可能であると好適である。
【００１０】
この構成によれば、本体部からカバー部を離脱させた状態で、建築物の１階から最上階まで亘るように収納空間を露出させることができる。よって、配管部材の施工時や維持管理時の作業性を大幅に向上させることができる。
【００１１】
１つの態様として、少なくとも前記カバー部における前記建築物の外部側の壁面が、外装用化粧材で構成されていると好適である。
【００１２】
この構成によれば、建築物の外部から見た場合における、本体部に対してカバー部が装着された状態での配管収納ユニットとその周囲の外壁との一体感を創出し易い。よって、配管収納ユニットを部分的に構造躯体に埋設させることによる建築物全体としての意匠性の低下を抑制することができる。
【００１３】
１つの態様として、前記外装用化粧材が、非金属無機材料で構成されていると好適である。
【００１４】
この構成によれば、例えば外装用化粧材が金属材料で構成される場合と比較して、配管収納ユニットが設置される部分における建築物の美観性を向上させ易い。また、例えば外装用化粧材が有機材料で構成される場合と比較して、配管収納ユニットを含む建築物の耐火性を高めることができる。
【００１５】
１つの態様として、前記外装用化粧材の外表面に、砂壁模様、石壁模様、木目調模様、タイル調模様、煉瓦調模様、柚子肌模様、さざなみ模様、又はスタッコ状模様が施されていると好適である。
【００１６】
この構成によれば、外装用化粧材に建築物の外壁調の模様を付与することができ、配管収納ユニットが設置される部分における建築物の美観性を効果的に向上させることができる。
【００１７】
１つの態様として、前記本体部は、互いに接続されて前記収納空間の背面側及び側面側を区画する背板部と一対の側板部とを有し、前記背板部は、前記建築物の基礎部分の上に配置され、前記一対の側板部は、それぞれの下端側において、前記基礎部分の外形に沿うように形成されていると好適である。
【００１８】
この構成によれば、側板部が建築物の基礎部分の外形に沿うように本体部を設置することで、基礎部分の存在下でも建築物の構造躯体に対する本体部の埋設量を大きく確保できる。これにより、配管部材を収納するための収納空間の大きさを確保しながら、配管収納ユニットの突出量を比較的小さく抑えることができる。
【００１９】
１つの態様として、前記配管部材は、給水管、給湯管、排水管、給ガス管、及び空調設備用の冷媒管のうちの少なくとも２種を含み、少なくとも２種の前記配管部材が、１つの前記収納空間に配置されていると好適である。
【００２０】
この構成によれば、例えば居住用の建築物に一般的に設置される各種の配管部材のいくつかを、１箇所に集約して配置することができる。よって、複数種類の配管部材の施工及び維持管理を同時期に行う場合等に、作業性を大幅に向上させることができる。
【図面の簡単な説明】
【００２１】
【図１】実施形態に係る配管収納ユニットが設置された建築物を示す模式図
【図２】配管収納ユニットの分解斜視図
【図３】固定部材の斜視図
【図４】構造躯体と配管収納ユニットとの位置関係を示す模式図
【図５】配管部材を収納した状態での配管収納ユニットの斜視図
【図６】配管収納ユニット及びその周辺部分の水平断面図
【図７】配管収納ユニット及びその周辺部分の縦断面図
【図８】配管収納ユニットを含む建築物の外観を示すイメージ図
【図９】配管収納ユニットの設置構造の別態様を示す水平断面図
【図１０】カバー部材の別態様を示す水平断面図
【図１１】固定部材の別態様を示す斜視図
【発明を実施するための形態】
【００２２】
本発明に係る配管収納ユニットの設置構造の実施形態について、図面を参照して説明する。本実施形態では、配管部材６を収納する本体部２と当該本体部２に着脱されるカバー部４とを備える配管収納ユニット１の、建築物８の一例としての戸建住宅への設置に係る設置構造を例として説明する。本実施形態に係る配管収納ユニット１の設置構造は、以下の点によって特徴付けられる。すなわち、本体部２の開口部Ｏが建築物８の外部側に位置するとともに、本体部２が建築物８の１階から最上階まで亘る状態で建築物８の構造躯体８２に埋設されている。これにより、建築物８全体としての強度の低下を抑制しながら、配管部材６の施工や維持管理に係る作業性を十分に向上させることが可能となっている。以下、本実施形態に係る配管収納ユニット１の設置構造について、詳細に説明する。
【００２３】
なお、以下の説明では、建築物８の１階から最上階に向かう方向を“高さ方向”と定義する。また、配管収納ユニット１の本体部２の開口部Ｏに対して正対した状態を基準として、“幅方向”及び“前後方向”を定義する。また、開口部Ｏに対して正対した状態を基準として、前後方向における“正面側（手前側）”及び“背面側（奥側）”を定義する。また、各部材についての方向や位置等に関する用語は、製造上許容され得る誤差による差異を有する状態をも含む概念である。
【００２４】
本実施形態に係る配管収納ユニット１は、建築物８において使用される各種の配管部材６を集約して収納するためのユニットである。図１に示すように、配管部材６は、美観性を考慮して、建築物８の壁内空間や床下空間、天井裏空間等を通って配管される、いわゆる隠蔽配管によって施工されている。配管収納ユニット１は、配管部材６の隠蔽配管において、建築物８の高さ方向の配管のために用いられている。本実施形態に係る配管収納ユニット１は、一般に“パイプスペース”等と称される配管空間を形成する、独立したユニットとして構成されている。図２に示すように、配管収納ユニット１は、配管部材６を収納する本体部２と、本体部２に着脱されるカバー部４とを備えている。また、配管収納ユニット１は、本体部２に配管部材６を固定するための固定部材５を備えている。
【００２５】
本体部２は、正面側に開口部Ｏを有するとともにその内部の収納空間Ｓに配管部材６を収納する。この本体部２は、詳しくは後述するように、建築物８の１階から最上階まで亘る状態で建築物８に固定される。ここで、「建築物８の最上階」とは、本例の戸建住宅のような住宅用建築物の場合には、日常的に使用される居住階の中での最上階（居住最上階）を意味する。従って、居住最上階よりも上階に、例えば納戸等として不定期に使用される小屋裏収納階等が存在する場合であっても、当該不定期使用階は本明細書で言う「建築物８の最上階」には該当しない。
【００２６】
本体部２は、互いに接続されて収納空間Ｓの背面側及び側面側を区画する背板部２１と一対の側板部２２とを有する。背板部２１は、正面視（開口部Ｏの側から正対して見た状態）で縦長の矩形状に形成されている。背板部２１の高さ寸法は、少なくとも建築物８の１階から最上階まで亘る高さ方向に沿った長さに設定されている。本実施形態では、建築物８の１階の床面近傍から最上階の天井面近傍まで亘る高さ方向に沿った長さに設定されている。背板部２１は、高さ方向の全体に亘って連続する一体物として構成されていても良いし、高さ方向における１ヵ所以上の位置で分割されて構成されていても良い。図２では、後者の分割構造の例を図示している。
【００２７】
背板部２１は、配管部材６が挿通される配管挿通孔２１ａ（図５を参照）を少なくとも１つ有する。本実施形態では、配管部材６が隠蔽配管によって施工されることに応じて、少なくとも階層間（本例では１階と２階との間）の床下空間に対応する高さ方向の位置に配管挿通孔２１ａが形成されている。また、最上階の階層の天井裏空間に近接する上端部付近に配管挿通孔２１ａが形成されても良い。また、建築物８内に設置される配管部材６が内壁８７（図５を参照）を貫通して各種設備（例えば空調設備９３の室内機９３ａ；図１を参照）から直接的に配管される場合には、当該設備の設置箇所に対応する高さ方向の位置に配管挿通孔２１ａが形成されても良い。なお、配管挿通孔２１ａには筒状の貫通スリーブが嵌合され、この貫通スリーブを通って配管部材６が配置される。貫通スリーブの開口端には隠蔽キャップが取り付けられても良い。図５及び図７に示すように、背板部２１は、建築物８の梁８４及び床材８５を介して、基礎部分８１の上に配置されている。
【００２８】
背板部２１の幅方向の両端部に、側板部２２がそれぞれ固定されている。側板部２２は、概略的には、側面視（幅方向に沿って見た状態）で縦長の矩形状に形成されている。側板部２２は、背板部２１よりも細長い縦長の矩形状に形成されている。側板部２２の高さ寸法は、背板部２１の高さ寸法よりも大きく設定されており、本例では、建築物８の設置面近傍から最上階の天井面近傍まで亘る長さに設定されている。側板部２２は、高さ方向の全体に亘って連続する一体物として構成されていても良いし、高さ方向における１ヵ所以上の位置で分割されて構成されていても良い。図２では、後者の分割構造の例を図示している。
【００２９】
本実施形態では、側板部２２は、その下端側において、背面側の一部が切り欠かれて形成された切欠部２２ｂを有する。図５及び図７に示すように、切欠部２２ｂは、建築物８の基礎部分８１の外形に部分的に沿うように矩形状に切り欠いて形成されている。また、本実施形態では、切欠部２２ｂは、建築物８の構造躯体８２の一部を構成する梁８４及び床材８５の外形に部分的に沿うように形成されている。より具体的には、切欠部２２ｂは、建築物８の外縁に位置する基礎部分８１及びその上に載置された梁８４及び床材８５の外側面と、当該床材８５の上面とに沿うように形成されている。このように、側板部２２は、互いに積層される基礎部分８１、梁８４、及び床材８５の外形に対して相補的な形状の切欠部２２ｂを有する。
【００３０】
側板部２２は、それぞれ背板部２１に対して交差（本例では略直交）する状態で背板部２１から正面側に立設するように配置されている。一対の側板部２２は、背板部２１の正面側において互いに略平行に対向配置されている。背板部２１と一対の側板部２２とによって構成される本体部２は、上面視（高さ方向に沿って見た状態）でコ字状又は角張ったＵ字状を呈する。そして、これらの背板部２１と一対の側板部２２とによって区画される空間が収納空間Ｓとなり、一対の側板部２２どうしの間の正面側の開放端が開口部Ｏとなる。開口部Ｏは収納空間Ｓの一部であり、両者は互いに連通している。
【００３１】
本体部２は、背板部２１及び一対の側板部２２の上端部に接続される天板部２４をさらに有する。天板部２４は、上面視で矩形状に形成されている。天板部２４の前後方向の長さ寸法は、側板部２２の前後方向の長さ寸法よりも大きく設定されている。天板部２４は、背板部２１及び一対の側板部２２の双方に対して交差（本例では略直交）する状態で固定される。天板部２４の下面における幅方向の両端部には、収納空間Ｓ側となる下側に向かって突出する係止突起２５が前後方向の複数箇所に設けられている。前後方向で背面側に位置する係止突起２５の背面側の端面が背板部２１の内側面に係止され、且つ、それぞれの係止突起２５の幅方向外側の端面が側板部２２の内側面に係止されることで、天板部２４が位置決めされる。
【００３２】
天板部２４は、その背面側の端部が背板部２１及び一対の側板部２２の背面側の端部の位置に一致する状態でそれらに固定される。この状態で、天板部２４における正面側の一部は、側板部２２の正面側の端部よりもさらに正面側に突出する。この突出部分は庇部２６として機能する。なお、配管部材６が建築物８の天井裏空間等を通って配管される場合等には、天板部２４にも、背板部２１と同様の配管挿通孔（図示せず）が設けられても良い。
【００３３】
側板部２２には、複数の支持ブラケット２８が固定されている。複数の支持ブラケット２８は、互いに高さ方向に所定間隔を隔てて配置されている。本例では、一対の側板部２２のそれぞれに、同数の支持ブラケット２８がそれぞれ同じ高さ位置に配置されている。支持ブラケット２８は、側板部２２における正面側の端部近傍に配置されている。支持ブラケット２８は、本実施形態では帯状金属板を屈曲させて形成された上面視でＬ字状のＬ型アングルで構成されている。支持ブラケット２８は、ボルト挿通孔２９を有する屈曲板部２８ａが側板部２２の内側面から幅方向の内側に向かって立設する状態で、側板部２２に固定されている。また、屈曲板部２８ａの背面側の面には、ボルト挿通孔２９と同軸にナットが固定されている。このような支持ブラケット２８は、カバー部４を本体部２に装着する際の被装着部となる。
【００３４】
カバー部４は、開口部Ｏを被覆可能に本体部２に着脱される。カバー部４は、本体部２に装着された状態で本体部２の開口部Ｏを被覆する。一方、カバー部４が本体部２から離脱された状態では、本体部２の開口部Ｏが露出する。カバー部４は、平坦な平板状部材を用いて構成されている。カバー部４は、正面視で縦長の矩形状に形成されている。カバー部４は、背板部２１と同程度の幅寸法及び側板部２２と同程度の高さ寸法を有する。カバー部４の高さ寸法は、建築物８の設置面近傍から最上階の天井面近傍まで亘る長さに設定されている。カバー部４は、高さ方向の全体に亘って連続する一体物として構成されていても良いし、高さ方向における１ヵ所以上の位置で分割されて構成されていても良い。後者の場合には、カバー部４は、高さ方向の全体に亘って、本体部２に対して着脱可能となっていても良いし、少なくとも建築物８の１階の所定位置から最上階の所定位置に亘る高さ範囲において着脱可能となっていても良い。図２では、高さ方向の全体に亘って着脱可能な分割構造の例を図示している。
【００３５】
カバー部４を構成するカバー本体４１の幅方向両端部には、複数のボルト挿通孔４３が設けられている。複数のボルト挿通孔４３は、本体部２に設けられた複数の支持ブラケット２８の位置に対応させて、互いに高さ方向に所定間隔を隔てて配置されている。対応するボルト挿通孔４３とボルト挿通孔２９とが正面視で重なる状態で、これらに締結ボルトを軸部側から挿通させることができる。そして、支持ブラケット２８に固定されたナットに締結ボルトを締結することで、本体部２に対してカバー部４を装着した状態を維持させることができる。日常的な使用状態では、カバー本体４１のボルト挿通孔４３に、締結ボルトを隠蔽するための目隠しキャップ等が設けられても良い。
【００３６】
本体部２を構成する背板部２１は、例えば普通合板や構造用合板等からなる下地材で構成することができる。一方、本体部２を構成する一対の側板部２２における外部側（収納空間Ｓの外側）の外壁面２２ａと、カバー部４を構成するカバー本体４１における外部側（収納空間Ｓの外側）の外壁面４１ａは、下地材ではなく、外装用化粧材で構成されている。なお、外装用化粧材は、材質的及び見栄え的に建築物８の外装材として使用可能な建築用材（木材に限らない）である。側板部２２は、非露出面側に設けられた下地材と外壁面２２ａ側に設けられた外装用化粧材とを含んで構成されても良いし、下地材を含むことなくその全体が外装用化粧材で構成されても良い。同様に、カバー本体４１も、非露出面側に設けられた下地材と外壁面４１ａ側に設けられた外装用化粧材とを含んで構成されても良いし、その全体が外装用化粧材で構成されても良い。
【００３７】
外装用化粧材としては、各種材料で構成された公知の建築用材を用いることができる。外装用化粧材を構成する材料は、金属材料、有機材料、及び非金属無機材料等であって良い。有機材料としては、樹脂材料等を例示することができる。非金属無機材料としては、セラミック材料やセメント系材料等を例示することができる。すなわち、使用可能な外装用化粧材としては、金属製化粧材、樹脂製化粧材、セラミック製化粧材、及びセメント系化粧材等を例示することができる。
【００３８】
金属製化粧材としては、例えば金属系サイディングボード、鉄鋼ボード、ステンレスボード、及びアルミボード等を例示することができる。このような金属製化粧材を用いることで、配管収納ユニット１を含む建築物８の耐火性を高めることができる。
【００３９】
樹脂製化粧材としては、例えばＰＶＣ（ポリ塩化ビニル）ボード、ＡＢＳ（アクリロニトリル−ブタジエン−スチレン）ボード、ＰＰ（ポリプロピレン）ボード、ＰＥ（ポリエチレン）ボード、ＰＳ（ポリスチレン）ボード、ＰＡ（ポリアミド）ボード、及びＰＣ（ポリカーボネート）ボード等を例示することができる。このような樹脂製化粧材を用いることで、配管収納ユニット１が設置される部分における建築物８の美観性を容易に向上させることができる。
【００４０】
セラミック製化粧材としては、例えば窯業系サイディングボード、アルミナボードやジルコニアボード等のファインセラミックボード、瓦材、及び煉瓦材等を例示することができる。このようなセラミック製化粧材を用いることで、建築物８の耐火性を高めることができるとともに、建築物８の美観性を容易に向上させることができる。
【００４１】
セメント系化粧材としては、例えばコンクリート材、軽量気泡コンクリート材、及び石膏ボード等を例示することができる。このようなセメント系化粧材を用いることで、建築物８の耐火性を高めることができるとともに、建築物８の美観性を容易に向上させることができる。
【００４２】
側板部２２の外壁面２２ａ及びカバー本体４１の外壁面４１ａを構成する外装用化粧材の外表面には、建築物８の外壁調の模様が施されている。ここで、「外壁調の模様」とは、一般的な観察者（例えば近隣の住民）が建築物８の外部から見た場合に、一見して当該建築物８の外壁８６であると看取し得る程度の形態の模様である。このような外壁調模様としては、例えば砂壁模様、石壁模様、木目調模様、タイル調模様、煉瓦調模様、柚子肌模様、さざなみ模様、又はスタッコ状模様等を例示することができる。なお、本実施形態では、側板部２２における収納空間Ｓ側の壁面及びカバー本体４１における収納空間Ｓ側の壁面には、上記のような外壁調模様は施されていない。このように、本実施形態では、側板部２２及びカバー本体４１は、それぞれ表面と裏面とで互いに異なる模様を有するように構成されている。
【００４３】
側板部２２を構成する外装用化粧材と、カバー本体４１を構成する外装用化粧材とは、同一の材料であっても良いし互いに異なる材料であっても良い。また、一対の側板部２２を構成する外装用化粧材どうしも、同一の材料であっても良いし互いに異なる材料であっても良い。同様に、側板部２２を構成する外装用化粧材と、カバー本体４１を構成する外装用化粧材とは、同一の模様であっても良いし互いに異なる模様であっても良い。また、一対の側板部２２を構成する外装用化粧材どうしも、同一の模様であっても良いし互いに異なる模様であっても良い。但し、外部から見た場合の建築物８の美観性の観点からは、全体的な統一感が醸し出されるように、それぞれの材料及び模様が選定されることが好ましい。
【００４４】
固定部材５は、収納空間Ｓに配置される配管部材６を本体部２に固定するべく、本体部２（背板部２１）に固定されている。本実施形態では、それぞれ幅方向に沿って延びる複数の固定部材５が、互いに平行に、高さ方向に所定間隔を隔てて配置されている。固定部材５は、金属製の板状部材を用いて形成されている。図３に示すように、固定部材５は、側面視でクランク状を呈するように屈曲形成されている。強度向上のため、屈曲部にビード加工（ひも出し加工）等が施されていても良い。
【００４５】
固定部材５は、背板部２１に当接して配置される平板状のベース部５１と、当該ベース部５１よりも開口部Ｏ（収納空間Ｓ）側にオフセットした位置で背板部２１と略平行に対向する平板状の突板部５３とを有する。ベース部５１は、複数のビス等の固着部材によって背板部２１に固着されている。突板部５３は、幅方向に並んで形成された複数の固定具挿通孔５３ａを有する。固定具挿通孔５３ａには、配管部材６を固定するための固定具５７（例えばＵボルトや両端に固定用ボルトを有する帯状部材等；図６を参照）の端部５７ａが挿通される。突板部５３の下端部は開放端５３ｂとなっており、この開放端５３ｂを通って、背板部２１と突板部５３との間の隙間空間に固定具５７の端部５７ａに係合する対部材（例えばナット等）が挿入される。
【００４６】
固定部材５は、突板部５３の幅方向の両端部からそれぞれ正面側に向かって起立するように形成された一対の起立板部５５をさらに有する。起立板部５５は、平板状に形成されるとともに側板部２２に当接して配置されている。起立板部５５は、ビス等の固着部材によって側板部２２に固着されている。このような一対の起立板部５５を介して側板部２２にも固着させることで、本体部２に対して固定される固定部材５の姿勢の安定化が図られている。背板部２１とベース部５１との固着のみによって十分な姿勢安定化が達成できる場合には、一対の起立板部５５は省略されても良い。なお、固定部材５として、例えばＣ型アングル等を用いても良い。
【００４７】
配管収納ユニット１に収納される配管部材６は、戸建居住用の建築物８に一般的に設置される各種の配管部材であって良く、特に限定されない。図１及び図６に示すように、配管部材６としては、例えば給水管６１、給湯管６２、排水管６３、給ガス管６４、及び冷媒管６５等が例示される。給水管６１は、ライフラインの１種としての水道管から分岐した先に設置された給水栓と、水道水の使用設備（キッチンＫの流し台９１やトイレＴの便器９２等）とを繋ぐ。給湯管６２は、ガス湯沸かし器等の給湯器と使用設備（キッチンＫの流し台９１や浴室の蛇口等）とを繋ぐ。排水管６３は、水道水やお湯の使用設備と、ライフラインの１種としての下水管とを繋ぐ。給ガス管６４は、ライフラインの１種としてのガス管から分岐した先に設置されたガス栓と、ガスの使用設備（キッチンＫのガスコンロやガス湯沸かし器等）とを繋ぐ。冷媒管６５は、例えばリビングルームＬ等に設置される空調設備９３の室内機９３ａとそれに対応する室外機９３ｂとを繋ぎ、室内機９３ａと室外機９３ｂとの間の冷媒循環路を構成する。
【００４８】
配管収納ユニット１に実際に収納される配管部材６は、上述した給水管６１、給湯管６２、排水管６３、給ガス管６４、及び冷媒管６５のうちの少なくとも１種を含む。本実施形態では、施工時の作業性や管理の容易さを考慮して、配管部材６は上記のうちの少なくとも２種を含んでおり、これら少なくとも２種の配管部材６が、１つの配管収納ユニット１（収納空間Ｓ）に配置されている。本実施形態では、給水管６１、給湯管６２、排水管６３、給ガス管６４、及び冷媒管６５の全てが、１つの配管収納ユニット１に収納されて１箇所に集約して配置されている。なお、給水管６１、給湯管６２、排水管６３、給ガス管６４、及び冷媒管６５が、複数の配管収納ユニット１に分かれて収納されて、集約されつつ複数箇所に分散して配置されても良い。
【００４９】
なお、図６に示すように、配管収納ユニット１を構成する背板部２１の収納空間Ｓ側の表面に、所定機能を有する機能層８８が設けられていても良い。このような機能層８８としては、例えば断熱層、防水層、遮音層、及び耐火層等、或いはこれらうちの２つ以上の組み合わせが例示される。断熱層を設けることで、外気温の影響が建築物８内の居住空間に及ぶのを抑制することができる。防水層を設けることで、外気中の水分の影響が構造躯体８２に及ぶのを抑制することができる。遮音層を設けることで、外部の騒音等が建築物８内の居住空間に及ぶのを、或いは、居住空間で発生し得る大音量が外部に漏れ出るのを抑制することができる。耐火層を設けることで、近隣で火災が生じた場合にもその影響が建築物８内の居住空間に及ぶのを抑制することができる。機能層８８には、これら以外の他の機能を有する層が含まれていても良い。
【００５０】
上述した配管収納ユニット１は、少なくとも建築物８の１階から最上階まで亘る状態で建築物８に固定されている。この意味で、本実施形態に係る配管収納ユニット１は、“パイプシャフト”を構成している。本実施形態では、配管収納ユニット１は、建築物８の設置面近傍から最上階の天井面近傍まで亘る状態で建築物８に固定されている。また、本実施形態では、図４に示すように、配管収納ユニット１は、部分的に構造躯体８２に埋設された状態で建築物８に固定されている。より具体的には、開口部Ｏが建築物８の外部側に位置する状態で、本体部２が建築物８の構造躯体８２に埋設されている。ここで、構造躯体８２とは、建築物８の構造強度に関わる主要構造体（建築構造を支える骨組み）である。具体的には、構造躯体８２には、高さ方向に沿って延びる柱８３や水平方向に沿って延びる梁８４等が含まれ、本実施形態では建築物８の外壁８６も含まれる。なお、柱８３は、通常の柱のみならず間柱をも含む概念である。
【００５１】
本実施形態では、図４〜図６に示すように、幅方向に互いに隣接して配置された、建築物８の１階から最上階まで亘る２本の柱８３どうしの間に、配管収納ユニット１が固定されている。配管収納ユニット１は、ビス等の固着部材を用いて、高さ方向の複数箇所で上記２本の柱８３に固着されている。また、配管収納ユニット１の埋設部分は、高さ方向では１階の床下の梁８４と最上階の天井裏の梁８４との間に配置されている。なお、建築物８の１階から最上階まで亘る高さを有する配管収納ユニット１を上記のように配置するため、階層間の梁８４（図４における高さ方向で中間部の梁８４）は、配管収納ユニット１によって幅方向に分断されている。言い換えれば、配管収納ユニット１は、１本の梁８４が幅方向に分断されてなる一対の分割梁どうしの間に配置されている。
【００５２】
また、本実施形態では、図５及び図６に示すように、開口部Ｏが建築物８の外部側に位置し、且つ、配管収納ユニット１の全体が建築物８の内壁８７よりも正面側（建築物８の外部側）に位置する状態で、本体部２が建築物８の構造躯体８２に埋設されている。本体部２は、建築物の内壁８７と外壁８６との間に区画される壁内空間Ｗを利用して配置されている。さらに、本体部２は、開口部Ｏが建築物８の外部側に位置し、且つ、一対の側板部２２の一部が建築物８の外壁８６よりも正面側に突出する状態で建築物８の構造躯体８２に埋設されている。本例では、側板部２２の正面側の略半分が外壁８６よりも正面側に突出し、側板部２２の背面側の略半分が構造躯体８２（外壁８６）に埋設されている。カバー部４（カバー本体４１）は、建築物８の外壁８６よりも正面側に位置している。なお、外壁８６と側板部２２との間の境界部分には、気密性及び防水性を確保するためのコーキング材８９が設けられている。
【００５３】
このように、本実施形態に係る配管収納ユニット１は、開口部Ｏが建築物８の外部側に位置する状態で建築物８に固定されている。このため、建築物８の外部側からカバー部４を取り外すことができ、本体部２からカバー部４を離脱させた状態で、収納空間Ｓを建築物８の外部側に露出させることができる（図５を参照）。よって、建築物８の外部側からの作業が可能となるので、施工時や維持管理時の作業性を向上させることができる。また、本実施形態のように配管部材６が隠蔽配管によって施工されている場合であっても、メンテナンスや更新時に、建築物８の外部側からカバー部４を取り外すだけで作業が可能となる。このため、それらの作業を可能とするための特段の室内側工事（例えば作業前の内壁８７の切出工事及び作業後の内装復旧工事等）を行う必要がない。よって、この点からも維持管理時の作業性を向上させることができる。また、廃棄される材料（切り出される下地材やクロス等）や新たに準備すべき材料（復旧用の下地材やクロス等）が発生しないので、コスト的にも有利である。
【００５４】
また、配管収納ユニット１は、建築物８の１階から最上階まで亘る状態で建築物８に固定されている。このため、本体部２からカバー部４を離脱させた状態で、上下に分断された開口部を有する空間としてではなく、単一の開口部Ｏを有するひとかたまりの空間として収納空間Ｓを露出させることができる。よって、収納空間Ｓに配置される配管部材６に対する各種の作業を、特段の制約なく全階についてまとめて行うことができる。特に、カバー部４が本体部２の高さ方向の全体に亘って着脱可能に構成されているので、収納空間Ｓを、建築物８の１階から最上階まで亘るひとかたまりの空間として露出させることができる。従って、施工時や維持管理時の作業性を十分に向上させることができる。
【００５５】
このとき、配管収納ユニット１は建築物８の１階から最上階まで亘る状態でその構造躯体８２に埋設されるので、当該配管収納ユニット１に、構造躯体８２の一部としての役割を担わせることができる。よって、一部の梁８４が幅方向に分断される場合であっても、建築物８全体としての強度の低下を抑制することができ、或いはさらに強度を高めることも可能となる。また、配管収納ユニット１が構造躯体８２に埋設される分だけ、建築面積の増大を抑制することができる。特に、図７に示すように、側板部２２に形成された切欠部２２ｂに対応する空間に建築物８の基礎部分８１が位置するように本体部２を設置することで、基礎部分８１の存在下でも建築物８の構造躯体８２に対する配管収納ユニット１の埋設量を大きく確保できる。よって、収納空間Ｓの大きさを確保しながら配管収納ユニット１の突出量を比較的小さく抑えることができ、配管部材６の適切な収納を可能としながら建築面積の増大を小さく抑えることができる。
【００５６】
さらに、カバー部４及び一対の側板部２２におけるそれぞれの外壁面４１ａ，２２ａが、建築物８の外壁調の外装用化粧材で構成されているので、建築物８全体としての意匠性の低下を抑制することができる。つまり、カバー部４及び側板部２２と外壁８６とを比較的類似したデザインとできるので、建築物８の外部から見た場合における、本体部２に対してカバー部４が装着された状態での配管収納ユニット１とその周囲の外壁８６との一体感を創出し易い（図８を参照）。よって、上述したように配管収納ユニット１を部分的に構造躯体８２に埋設させる場合であっても、建築物８全体としての意匠性の低下を抑制することができる。或いは、建築物８の外壁８６から配管収納ユニット１を部分的に突出させてなる全体形状や、外装用化粧材の外表面に施される外壁調模様を積極的に活用して、建築物８全体としての意匠性をさらに高めることも可能となる。
【００５７】
以上説明したように、本実施形態に係る配管収納ユニット１の設置構造によれば、建築物８全体としての強度や意匠性の低下を抑制しながら、配管部材６の施工や維持管理に係る作業性を十分に向上させることができる。
【００５８】
〔その他の実施形態〕
最後に、本発明に係る配管収納ユニットの設置構造の、その他の実施形態について説明する。なお、以下のそれぞれの実施形態で開示される構成は、矛盾が生じない限り、他の実施形態で開示される構成と組み合わせて適用することも可能である。
【００５９】
（１）上記の実施形態では、配管収納ユニット１が、一対の側板部２２の一部が建築物８の外壁８６よりも正面側に突出する状態で建築物８の構造躯体８２に埋設されている構成を例として説明した。しかし、本発明の実施形態はこれに限定されない。例えば図９に示すように、カバー部４（カバー本体４１）が外壁８６と面一状となる状態で、配管収納ユニット１が構造躯体８２に埋設されていても良い。この場合、一対の側板部２２はその全体が外壁８６によって隠蔽されるため、一対の側板部２２における外壁面２２ａは、建築物８の外壁調の外装用化粧材で構成されていなくても良い。つまり、建築物８の外壁調の外装用化粧材で構成されるのが、カバー部４の外壁面４１ａと側板部２２の外壁面２２ａとのうち、カバー部４の外壁面４１ａのみであっても良い。
【００６０】
（２）上記の実施形態では、背板部２１の高さ寸法が建築物８の１階の床面近傍から最上階の天井面近傍まで亘る高さ方向に沿った長さに設定されている構成を例として説明した。また、側板部２２及びカバー部４の高さ寸法が、建築物８の設置面近傍から最上階の天井面近傍まで亘る長さに設定されている例として説明した。しかし、本発明の実施形態はこれに限定されない。例えば背板部２１を含む配管収納ユニット１の全体の高さ寸法が、建築物８の設置面近傍から最上階の天井面近傍まで亘る長さに設定されても良い。或いは、側板部２２及びカバー部４を含む配管収納ユニット１の全体の高さ寸法が、建築物８の１階の床面近傍から最上階の天井面近傍まで亘る高さ方向に沿った長さに設定されても良い。また、背板部２１、側板部２２、及びカバー部４のうちの１つ以上の高さ寸法が、建築物８の１階の所定位置（例えば中間位置等）から最上階の所定位置（例えば中間位置等）に亘る高さ方向に沿った長さに設定されても良い。
【００６１】
（３）上記の実施形態では、カバー部４が本体部２の高さ方向の全体に亘って着脱可能に構成されている構成を例として説明した。しかし、本発明の実施形態はこれに限定されない。例えば、本体部２の高さ方向の一部のみでカバー部４が着脱可能となっていても良い。この場合、カバー部４が分割構造を有して構成されるとともに、本体部２の上端部側及び下端部側の少なくとも一方における分割カバー部材が、本体部２に対して常時固着されるように構成されても良い。分割カバー部材との本体部２との固着は、ビス等の固着部材によって達成されても良いし、接着剤等を用いて達成されても良い。
【００６２】
（４）上記の実施形態では、カバー部４が平坦な平板状に形成された構成を例として説明した。しかし、本発明の実施形態はこれに限定されない。例えば図１０に示すように、カバー部４が、前板部４５と当該前板部４５の幅方向の両端部から背面側に向かって延びる一対の側板部４６とを有し、上面視でコ字状又は角張ったＵ字状を呈するように構成されても良い。この場合、本体部２の開口部Ｏに対してカバー部４の開口部が対向し、且つ、各側板部２２と各側板部４６とが対向する状態で、本体部２にカバー部４が脱着可能とされる。収納空間Ｓの内部の防水性等を考慮すれば、カバー部４は、本体部２に対して外嵌可能となっていることが好ましい。この場合、カバー部４のうち、外部側に露出する前板部４５の外壁面４５ａ及び側板部４６の外壁面４６ａが、建築物８の外壁調の外装用化粧材で構成される。一対の側板部２２はその全体がカバー部４（側板部４６）によって隠蔽されるため、一対の側板部２２における外壁面２２ａは、建築物８の外壁調の外装用化粧材で構成されていなくても良い。なお、このような形状のカバー部４を用いる場合には、各側板部４６と各側板部２２とに亘る締結ボルトによって両者を固定できるので、側板部２２には支持ブラケット２８は設けられなくても良い。
【００６３】
（５）上記の実施形態では、側板部２２がその下端側に基礎部分８１等の外形に対して相補的な形状の切欠部２２ｂを有する構成を例として説明した。しかし、本発明の実施形態はこれに限定されない。例えば、側板部２２が分割構造を有して構成される場合において、側面視での幅が互いに異なる２つの分割側板部を用いて同様の側板形状を実現しても良い。また、側板部２２がそのような切欠部２２ｂを有することなく、側板部２２の全体が完全な矩形状に形成されても良い。また、側板部２２が、それぞれの上端側において、建築物８の梁８４の外形に沿うように形成されていても良い。これらの場合において、側面視での幅が互いに異なる２つの分割本体部（分割背板部と一対の分割側板部とを含む）を用いて、同様の切欠状の形状を実現しても良い（一例として下端側を示した図１１を参照）。
【００６４】
（６）上記の実施形態では、配管部材６を固定するための固定部材５と、カバー部４を装着させるための支持ブラケット２８とが、別個に設けられている構成を例として説明した。しかし、本発明の実施形態はこれに限定されない。例えば図１１に示すように、固定部材５が、上記の実施形態における支持ブラケット２８と同様の機能を有する支持部５８を一体的に有するように構成されても良い。この場合、例えば上記の実施形態における固定部材５の起立板部５５を正面側にまで延設して支持部５８とし、当該支持部５８の正面側の端部を内側に向かってＬ字状に屈曲形成して屈曲板部５８ａとすることができる。屈曲板部５８ａには、ボルト挿通孔５９が形成されるとともにそれと同軸にナットが固定され、支持部５８はカバー部４を本体部２に装着する際の被装着部となる。
【００６５】
（７）上記の実施形態では、配管部材６として、給水管６１、給湯管６２、排水管６３、給ガス管６４、及び冷媒管６５の全てが配管収納ユニット１に収納される構成を例として説明した。しかし、本発明の実施形態はこれに限定されない。これらのうちの一部のみが配管収納ユニット１に収納されても良い。また、上述した以外にも、排気管や電気配線管等の他の配管部材６が配管収納ユニット１に収納されても良い。
【００６６】
（８）上記の実施形態では、配管収納ユニット１の上端部が建築物８の最上階（具体的には、居住最上階の２階）の天井面近傍に位置している例について説明した。しかし、本発明の実施形態はこれに限定されない。配管収納ユニット１は、少なくとも建築物８の１階から居住最上階まで亘るように設けられていれば良く、その上端部がさらに居住最上階よりも上方の不定期使用階（例えば小屋裏収納階等）にまで達していても良い。
【００６７】
（９）上記の実施形態では、本発明に係る配管収納ユニットの設置構造を、建築物８の一例としての２階建ての戸建住宅への配管収納ユニット１の設置に適用した例について説明した。しかし、本発明の実施形態はこれに限定されない。もちろん、３階建て以上の戸建住宅への配管収納ユニット１の設置に、上述した設置構造を適用しても良い。本発明の適用対象となる建築物８としては、それ以外にも、例えば小型アパートやメゾネット等の集合住宅が例示される。或いは、工場、研究所、及び博物館等の産業施設も、本発明の適用対象となる建築物８に含めることができる。
【００６８】
（１０）その他の構成に関しても、本明細書において開示された実施形態は全ての点で例示であって、本発明の範囲はそれらによって限定されることはないと理解されるべきである。当業者であれば、本発明の趣旨を逸脱しない範囲で、適宜改変が可能であることを容易に理解できるであろう。従って、本発明の趣旨を逸脱しない範囲で改変された別の実施形態も、当然、本発明の範囲に含まれる。
【産業上の利用可能性】
【００６９】
本発明は、開口部に連通する収納空間に配管部材を収納する本体部と、開口部を被覆可能に本体部に着脱されるカバー部とを備える配管収納ユニットの、建築物への設置構造に利用することができる。
【符号の説明】
【００７０】
１        配管収納ユニット
２        本体部
４        カバー部
６        配管部材
８        建築物
２１      背板部
２２      側板部
２２ａ    外壁面
２２ｂ    切欠部
４１      カバー本体
４１ａ    外壁面
４５      前板部
４５ａ    外壁面
４６      側板部
４６ａ    外壁面
６１      給水管
６２      給湯管
６３      排水管
６４      給ガス管
６５      冷媒管
８１      基礎部分
８２      構造躯体
８６      外壁
９３      空調設備
Ｏ        開口部
Ｓ        収納空間
【図１】
2015137455.tif 000003
【図２】
2015137455.tif 000004
【図３】
2015137455.tif 000005
【図４】
2015137455.tif 000006
【図５】
2015137455.tif 000007
【図６】
2015137455.tif 000008
【図７】
2015137455.tif 000009
【図８】
2015137455.tif 000010
【図９】
2015137455.tif 000011
【図１０】
2015137455.tif 000012
【図１１】
2015137455.tif 000013